(57)【特許請求の範囲】
【請求項１】
複数の開閉器を備えた開閉器本体をチャンネルベース上に、当該チャンネルベースから浮かせて支持した二つの支柱フレームと、
上記開閉器本体に上記チャンネルベース内を通して導入又は導出するケーブルを固定するケーブルクリートと、
上記開閉器本体を被うように、略箱型に組み立てられた背面板、側面板、扉及び天井板とから成り、
上記各支柱フレームは、上記開閉器本体の両側面の前後幅と略同じ前後幅を有する略四辺形の枠体から成り、当該二つの支柱フレームは各上部で上記開閉器本体の両側を挟持して各下端を上記チャネルベースに取り付けられ、
上記ケーブルクリートは上記開閉器本体の下方の空間に位置するように両端を上記二つの支柱フレームに取り付けられ、
上記各側面板は上記各支柱フレームの外側面及びチャンネルベース上に固定され、上記背面板は各支柱フレーム又は各側面板の後端及びチャンネルベース上に固定され、上記扉は上記各支柱フレーム又は各側面板の前端に回転自在に取付けられ、上記天井板は上記支柱フレーム及び背面板の上端に固定されていることを特徴とする、高圧路上設置型開閉器の外装構造。
【請求項２】
上記背面板、側面板、扉は相互の固定が、一方に設けたパイプに、他方に設けたピンを差し込んで成り、これらの外部にボルトが露出しない組み付けとしたことを特徴とする、請求項１項記載の高圧路上設置型開閉器の外装構造。
【請求項３】
箱型の高圧路上設置型開閉器の吊りボルトの取り付け用ネジ穴を上記支柱フレームの上面に設けたことを特徴とする、請求項１項又は２項記載の高圧路上設置型開閉器の外装構造。
【発明の詳細な説明】
【０００１】
【発明の属する技術分野】
この発明は、地中ケーブル等を路上等に立ち上げて、当該箇所で開閉器に導入し、母線を介して他の回路に分岐させたりして再び地中に導出する、高圧路上設置型開閉器の外装構造に関するものである。
【０００２】
【従来の技術】
従来の高圧路上設置型開閉器の外箱の交換方式は、開閉器本体をチャンネルベース上に自立させ、この上から外板とフレームとが一体となった外箱を被せているため、これらの外板とフレームを一体とした外箱を交換していた。
【０００３】
【発明が解決しようとする課題】
そのため外箱の交換時は、重量が重くなるので機械力での吊り上げが必要となり、高圧線を活線状態にしたままでは交換出来ず、停電を伴っていた。また外板に外部等から損傷を受けると、フレームに損傷を受けていないにもかかわらず、外板とフレームとが一体となった外箱全体を交換しており、不経済であった。
【０００４】
この発明は、これらの点に鑑みて為されたものであり、外箱が傷、変形、さび等による損傷が著しくなった場合、現地で活線状態で、外箱全体又は部分的に外板のみを交換出来る高圧路上設置型開閉器の外装構造を提供し、上記課題を解決するものである。
【０００５】
【課題を解決しようとする手段】
請求項１の発明は、複数の開閉器を備えた開閉器本体をチャンネルベース上に、当該チャンネルベースから浮かせて支持した二つの支柱フレームと、上記開閉器本体に上記チャンネルベース内を通して導入又は導出するケーブルを固定するケーブルクリートと、上記開閉器本体を被うように、略箱型に組み立てられた背面板、側面板、扉及び天井板とから成り、上記各支柱フレームは、上記開閉器本体の両側面の前後幅と略同じ前後幅を有する略四辺形の枠体から成り、当該二つの支柱フレームは各上部で上記開閉器本体の両側を挟持して各下端を上記チャネルベースに取り付けられ、上記ケーブルクリートは上記開閉器本体の下方の空間に位置するように両端を上記二つの支柱フレームに取り付けられ、上記各側面板は上記各支柱フレームの外側面及びチャンネルベース上に固定され、上記背面板は各支柱フレーム又は各側面板の後端及びチャンネルベース上に固定され、上記扉は上記各支柱フレーム又は各側面板の前端に回転自在に取付けられ、上記天井板は上記支柱フレーム及び背面板の上端に固定されている高圧路上設置型開閉器の外装構造とした。
【０００６】
また請求項２項の発明は、上記請求項１項の高圧路上設置型開閉器の外装構造において、上記背面板、側面板、扉は相互の固定が、一方に設けたパイプに、他方に設けたピンを差し込んで成り、これらの外部にボルトが露出しない組み付けとしたものである。
【０００７】
また請求項３項の発明は、上記請求項１項又は２項の高圧路上設置型開閉器の外装構造において、箱型の高圧路上設置型開閉器の吊りボルトの取り付け用ネジ穴を上記支柱フレームの上面に設けたものである。
【０００８】
【発明の実施の形態例】
以下この発明の実施の形態例を図に基づいて説明する。
まずこの発明の高圧路上設置型開閉器を図１及び図２に基づいて説明すると、多数の開閉器を有する開閉器本体１の両側に側面フレーム２、２の上部を固定し、これらの側面フレーム２、２の下部下端をチャンネルベース３に固定してある。このチャンネルベース３を貫通した多数のケーブル４が立上り、途中ケーブルクリート５に支持されて上記開閉器本体１の各開閉器の各分岐端子６に接続されている。このケーブルクリート５も上記二つの側面フレーム２に支持されている。またこれらの各側面フレーム２の外側に両側の各側面板７が取り付けられ、また各側面フレーム２の後端で背面板８を取り付け、また上記各側面板７に前面扉９、９（図示は前面板９一枚のみ）を取り付け、これらの即板の上に天井板１０を取り付けた構成と成り、これらのチャンネルベース３、側面板７、背面板８、前面扉９、９及び天井板１０で箱型を成している。
【０００９】
次にこの高圧路上設置型開閉器の組立て手順を図３乃至８に基づいて説明する。開閉器本体１の両側面に側面フレーム２、２を取り付ける。これには左右の各側面フレーム２の上部を開閉器本体１に重ねて図３に示すごとく、各面４箇所でボルト１１を螺着して固定する。また上記ケーブルクリート５の両端を左右の各側面フレーム２にボルト１２により固定する。次に図４に示すごとく、この開閉器本体１を取り付けた側面フレーム２、２をチャンネルベース３に取り付ける。これには図４（Ｂ）に示す如く各側面フレーム２の下端の折り曲げ縁２ａに設けた三箇所のボルト孔にボルト１３を通してチャンネルベース３に固定する。なお図４の（Ｂ）図に示す如く、チャンネルベース３にはケーブル挿通孔を有する底板３ａが張られており、またチャンネルベース３の側面には通気孔３ｂを設けている。
【００１０】
その後図５に示すごとく、上記背面板８の下端から突出させた二本のピン１４、１４をチャンネルベース３に差し込み、背面板８の両側舌片８ｃを上記各側面フレーム２の後端面に当てて、複数のボルト１５でこれらを螺着、固定する。さらに図６に示すごとく、左右の側面板７のピン１６（各側面左右４箇所）を各側面フレーム２のパイプ１７及び上記背面板８のパイプ１８に差し込み（図２８参照）、各側面板７の前面側をボルト１９で各側面フレーム２に固定する（各側面板７は２箇所）。
【００１１】
次に図７及び図２８に示すごとく、各側面板７の前端縁の上下部に突出した各蝶番パイプ２０に左右の各前面扉９の上下のガイドパイプ２１ａを係合し、これらに各蝶番ピン２１を差し込み、これにより各前面扉９は各側面板７に、回転自在に支持される。そしてこれらの各前面扉９は開いたり閉じたりできる。そして図８に示すごとく、上記天井板１０の内部背面に突出したピン２２を上記背面板８の上端に間隔を開けて突出した二つの板片２３の各ピン穴２４に差し込み後、天井板１０の四隅の透孔２５を各側面フレーム２の上端面前後に設けた吊りボルト台２６に合わせて載せ、これらの上から化粧ボルト２７を各吊りボルト台２６のボルト孔に螺着する。これにより外箱は組立てが完了する。
【００１２】
上記各側面フレーム２の詳細な構成は、図９乃至図１３に示すごとく、縦長の四辺形のフレームから成り、四辺の内側に直角な折り曲げ縁が付いている。上記下端の折り曲げ縁２ａには上記ボルト１３を通すボルト孔２８が設けられている。このうち前端（図９では右側）の折り曲げ縁２ｂには断面鍵型の舌片２ｃを設けている。この舌片２ｃの上下部に上記パイプ１７、１７が夫々垂直に設けられ、上記ボルト１２を通すボルト穴２９を設けている。また上記吊りボルト台２６は上端の折り曲げ縁２ｄの上面に突設している。また後端の折り曲げ縁２ｅには上記ボルト１５を螺着するネジ穴３０を数個設けている。またこの側面フレーム２の上部には水平部材３１を二段に設け、これらの水平部材３１に上記ボルト１１を通すボト穴３２が二箇所づつ設けられている。なお左右の側面フレーム２、２は対称構造となっている。
【００１３】
上記背面板８の詳細な構成は、図１４乃至図１６に示す如く、四辺形の板体の四辺の内側に直角な折り曲げ縁が付いており、これらの内の両側の折り曲げ縁８ａ、８ｂには夫々断面鍵型の舌片８ｃが夫々設けられ、これらの上下部にパイプ１８が夫々垂直に設けられている。またこれらの各舌片８ｃには上記各ボルト１５を通すボルト穴３３が設けられている。また上記ボルト１３は下端折り曲げ縁８ｄに係止され、また上記各板片２３は上端折り曲げ縁８ｅの上面に立設している。またこの背面板８の上下には通気孔３４が設けられている。これらの各通気孔３４の内側には、いたずら等を防ぐため図２８に示す如く、ステンレス製織金網４０等を付けている。
【００１４】
上記各側面板７の詳細な構成は、図１７乃至図１９に示す如く、四辺形の板体の左右上辺の内側に直角な折り曲げ縁が付いており、これらの折り曲げ縁の内の両側の折り曲げ縁７ａ、７ｂの上下内側に上記ピン１６が基部を上に先端を下にして垂下している。また前側の上記折り曲げ縁７ａには断面鍵型の舌片７ｃが設けられ、この舌片７ｃの上下には蝶番パイプ２０が設けられている。なお左右の側面板７、７は対称構造となっている。
【００１５】
上記各前面扉９の詳細な構成は、図２０乃至図２４に示す如く、四辺形の板体の四辺の内側に直角な折り曲げ縁が付いており、この前面扉９の内側の一側上下には上記蝶番ピン２１が設けられている。これらの各蝶番ピン２１は上下に離れてガイドパイプ２１ａを設け、これらの上下のガイドパイプ２１ａに蝶番ピン２１を脱着自在に差し込むと、蝶番ピン２１の上端のストッパーにより上部のガイドパイプ２１ａに係止される構成となっている。従って上記各側面板７の蝶番パイプ２０をこれらの上下のガイドパイプ２１ａの間に入れて蝶番ピン２１をこれらの上下のガイドパイプ２１ａ及び蝶番パイプ２０に通すことにより各前面扉９は上下二箇所で回転自在に各側面板７に支持される。またこれらの蝶番ピン２１と反対側の前面扉９の内側上下には錠前金具３５、３５及び耐爆錠取り付け穴３６、３６が夫々設けられている。また下端折り曲げ縁９ａにはステー金具取り付け部材３７、３７が設けられ、また上記蝶番ピン２１を有する側の折り曲げ縁９ｂには、各蝶番ピン２１に相応する位置に、上記蝶番パイプ２０の支持部を避けるための切欠き部３８、３８を穿っている。
【００１６】
上記天井板１０の詳細に構成は、図２５乃至図２７に示す如く、中央断面がやや山形となった四辺形の板体の四辺の内側に直角な折り曲げ縁が付いており。後端の折り曲げ縁１０ａの中央に内側に上記の二本のピン２２、２２を突設している。また上記透孔２５が四隅に設けられている。また図２８はこれらの組立て状態における断面図である。図中３９は化粧ボルト２７に替えて、各側面フレーム２の上端の吊りボルト台２６のボルト孔に螺着した吊りボルトである。
【００１７】
また上記実施の形態例では、背面板８の上下に通気孔３４が設けられているため、結露防止と内部短絡時の速やかな背面からの放圧が図れる。従って万一の開閉器の内部短絡事故においても、扉の開放、外板の大きな変形がなく、正面側（歩道側）へのアークの吹き出しを極力押さえることができる。
【００１８】
なお上記実施の形態例では、側面フレームとしたが、これは開閉器本体を支持し、また外箱を構成する部材を支持するものであれば、適宜の支柱フレームとしても良い。また上記実施の形態例では、左右側面板、背面板、前面扉等はすべてピンとこれを挿入するパイプとにより接合しているが、これらは別の手段で接合する場合もある。また上記実施の形態例では、天井板を側面フレームに固定する化粧ボルト以外は外箱の外部に露出していないが、他のボルトが露出する場合もある。また上記実施の形態例では、支柱フレームの上端の吊りボルト台に吊りボルトを螺着しているが、必ずしもこの支柱フレームに吊りボルトを支持する構成としなくても良い。
【００１９】
【発明の効果】
請求項１項の発明は、開閉器本体を二つの支柱フレームで支持しており、この支柱フレームに外箱を構成する左右側面板、背面板、前面扉及び天井板を支持させて組み立てているため、これらの一部又は全部の部材を容易に取外し、新規なものに交換することができる。しかもこの際開閉器本体を活線状態のままで、これらの外箱を構成する任意の部材を取り替えることができる。また開閉器自体の組立てが大がかりな機械を要せず、人力で容易にできる。また上述の如く外箱を構成する各部材を組立てるため、これらの部材毎に製造、及び表面処理加工ができるため、製造コストが安価なものとなる。
【００２０】
また請求項２項の発明は、上記請求項１項の発明の効果に加え、天井板の上に化粧ボルトのみが露出し、他のボルトは外箱外周に露出していないため、歩行者が触れても安全である。しかも左右側面板、背面板、前面扉等はすべてピンとこれを挿入するパイプとにより接合しているため、これらの部材の組立てが極めて容易かつ迅速に行なえる。
【００２１】
また請求項３項の発明は、上記請求項１項又は２項の発明の効果に加え、この様なプレハブ型の外箱でありながら支柱フレームを設け、この支柱フレームに吊りボルトを装着できるため、この開閉器を吊り上げる際、支柱フレームに荷重がかかり、吊り上げの際に充分耐えられる強度を有するものである。
【図面の簡単な説明】
【図１】この発明の実施の形態例を示す正面図である。
【図２】この発明の実施の形態例を示す側面縦断面図である。
【図３】この発明の実施の形態例における組立ての第１工程を示す説明図であり、（Ａ）図は正面図、（Ｂ）図は側面図である。
【図４】この発明の実施の形態例における組立ての第２工程を示す説明図であり、（Ａ）図は正面図、（Ｂ）図はＡ−Ａ´線の断面図である。
【図５】この発明の実施の形態例における組立ての第３工程を示す説明図であり、（Ａ）図は背面図、（Ｂ）図は側面図である。
【図６】この発明の実施の形態例における組立ての第４工程を示す説明図であり、（Ａ）図は正面図、（Ｂ）図は側面図である。
【図７】この発明の実施の形態例における組立ての第５工程を示す説明図であり、（Ａ）図は正面図、（Ｂ）図は側面図である。
【図８】この発明の実施の形態例における組立ての第６工程を示す説明図であり、（Ａ）図は正面図、（Ｂ）図は側面図である。
【図９】この発明の実施の形態例に使用する側面フレームの正面図である。
【図１０】この発明の実施の形態例に使用する側面フレームの平面図である。
【図１１】この発明の実施の形態例に使用する側面フレームの底面図である。
【図１２】この発明の実施の形態例に使用する側面フレームの左側面図である。
【図１３】この発明の実施の形態例に使用する側面フレームの右側面図である。
【図１４】この発明の実施の形態例に使用する背面板の正面図である。
【図１５】この発明の実施の形態例に使用する背面板の平面図である。
【図１６】この発明の実施の形態例に使用する背面板の左側面図である。
【図１７】この発明の実施の形態例に使用する側面板の内側正面図である。
【図１８】この発明の実施の形態例に使用する側面板の内側平面図である。
【図１９】この発明の実施の形態例に使用する側面板の内側左側面図である。
【図２０】この発明の実施の形態例に使用する前面扉の内側正面図である。
【図２１】この発明の実施の形態例に使用する前面扉の内側平面図である。
【図２２】この発明の実施の形態例に使用する前面扉の内側底面図である。
【図２３】この発明の実施の形態例に使用する前面扉の内側左側面図である。
【図２４】この発明の実施の形態例に使用する前面扉の内側右側面図である。
【図２５】この発明の実施の形態例に使用する天井板の正面図である。
【図２６】この発明の実施の形態例に使用する天井板の側面図である。
【図２７】この発明の実施の形態例に使用する天井板の底面図である。
【図２８】この発明の実施の形態例における組立て完了後の縦断面図である。
【符号の説明】
１    開閉器本体                  ２    側面フレーム
３    チャンネルベース            ４    ケーブル
５    ケーブルクリート            ７    側面板
８    背面板                      ９    前面扉
１０    天井板                    １６    ピン
１７    パイプ                    １８    パイプ
２０    蝶番パイプ                ２１    蝶番ピン
２２    ピン                      ２５    孔
２６    吊りボルト台              ２７    化粧ボルト
【図１】
0004230559.tif 000002
【図２】
0004230559.tif 000003
【図３】
0004230559.tif 000004
【図４】
0004230559.tif 000005
【図５】
0004230559.tif 000006
【図６】
0004230559.tif 000007
【図７】
0004230559.tif 000008
【図８】
0004230559.tif 000009
【図９】
0004230559.tif 000010
【図１０】
0004230559.tif 000011
【図１１】
0004230559.tif 000012
【図１２】
0004230559.tif 000013
【図１３】
0004230559.tif 000014
【図１４】
0004230559.tif 000015
【図１５】
0004230559.tif 000016
【図１６】
0004230559.tif 000017
【図１７】
0004230559.tif 000018
【図１８】
0004230559.tif 000019
【図１９】
0004230559.tif 000020
【図２０】
0004230559.tif 000021
【図２１】
0004230559.tif 000022
【図２２】
0004230559.tif 000023
【図２３】
0004230559.tif 000024
【図２４】
0004230559.tif 000025
【図２５】
0004230559.tif 000026
【図２６】
0004230559.tif 000027
【図２７】
0004230559.tif 000028
【図２８】
0004230559.tif 000029